(57)【要約】【課題】記録媒体に予め設定された単位情報の物理的な長さを可変してユーザー情報を記録する情報記録方法及び装置を提供する。【解決手段】トラックを所定の第１単位の区間に区分し、その第１単位の区間毎に同期信号及び第１単位区間別第１アドレス情報を含む補助信号が所定のクロックに基づいて変調された形態でプレフォーマットされた記録媒体からクロックを検出する。同時に、復元されたクロックを所定の値に計数してトラックを第２単位の区間に区分し、第２単位に対応してユーザー情報を記録媒体に記録する。【選択図】  図８
2006221799.tif 000002
【特許請求の範囲】
【請求項１】
情報を記録する方法において、
記録媒体にプレフォーマットされた補助情報を再生する段階と、
記録媒体のトラックを複数の予め定められた第１のユニット区間に分割する同期信号と、前記第１のユニット区間を示す第１のアドレス情報とを含む前記補助情報に基づき、予め定められているクロック信号を検出する段階と、
記録媒体のトラックを前記第１のユニット区間とは長さにおいて異なる第２のユニット区間に分割するための、第１のアドレス情報とは予め定められた関係を有する新たなアドレス情報を生成する段階と、
前記第２のユニット区間にしたがって前記記録媒体にユーザ情報を記録する段階と
を備えることを特徴とする情報を記録する方法。
【請求項２】
前記第２のユニットに対応するユーザ情報の量は、前記第１のユニットに対応するユーザ情報の量に等しいことを特徴とする請求項１に記載の方法。
【請求項３】
前記第２のユニット区間のそれぞれは、前記第１のユニット区間のそれぞれより短いことを特徴とする請求項１に記載の方法。
【請求項４】
前記第２のユニット区間のそれぞれは、前記第１のユニット区間のそれぞれより長いことを特徴とする請求項１に記載の方法。
【請求項５】
前記検出段階は、検出されたクロックパルスに基づいて第１のアドレス情報を再構成する段階を含むことを特徴とする請求項１に記載の方法。
【請求項６】
前記新たなアドレス情報は、前記第１のアドレス情報と、前記第１のアドレス情報の積であるという予め定められた関係にあることを特徴とする請求項１に記載の方法。
【請求項７】
情報を記録する装置において、
記録媒体にプレフォーマットされた補助情報を再生するとともに、記録媒体のトラックを複数の予め定められた第１のユニット区間に分割する同期信号と、前記第１のユニット区間を示す第１のアドレス情報とを含む前記補助情報に基づき、予め定められているクロック信号を検出する検出手段と、
前記第１のアドレス情報とは予め定められた関係を有する、前記トラックを第２のユニット区間に分割するための新たなアドレス情報を生成する生成手段と、
前記第１のユニット区間とは長さにおいて異なる前記第２のユニット区間にしたがって、前記記録媒体にユーザ情報を記録する記録手段と
を備えることを特徴とする情報を記録する装置。
【請求項８】
前記第２のユニットに対応するユーザ情報の量は、前記第１のユニットに対応するユーザ情報の量に等しいことを特徴とする請求項７に記載の装置。
【請求項９】
前記第２のユニット区間のそれぞれは、前記第１のユニット区間のそれぞれより短いことを特徴とする請求項７に記載の装置。
【請求項１０】
前記第２のユニット区間のそれぞれは、前記第１のユニット区間のそれぞれより長いことを特徴とする請求項７に記載の装置。
【請求項１１】
前記検出手段は、検出されたクロックパルスに基づいて第１のアドレス情報を再構成する手段を含むことを特徴とする請求項７に記載の装置。
【請求項１２】
前記生成手段は、前記第１のアドレス情報の乗数を含む前記第１のアドレス情報と特定の関係を有する前記新たなアドレス情報を生成することを特徴とする請求項７に記載の装置。
【発明の詳細な説明】
【技術分野】
【０００１】
本発明は記録媒体に情報を記録する技術に関し、特に位置情報などの補助情報がプレフォーマットされた記録媒体に情報を記録する情報記録方法及び装置に関する。
【背景技術】
【０００２】
記録媒体に情報を記録して再生するためには記録／再生装置がアクセスする位置を正確にわからねばならない。このためにディスクの特定位置を知らせるアドレス情報とその他の情報（以下、アドレス情報とその他の情報を“補助情報”という）が予め記録され（プレフォーマットされ）ていなければならない。かかる補助情報は、通常記録装置によりユーザー情報を一定のユニットに分けて記録し、記録ユニット別アドレスなどの識別情報を提供できるようにする。
【０００３】
このような補助情報がプレフォーマットされた記録媒体の例を図１乃至図４を参照して説明する。図１はいわゆるウォッブルリング方式のＣＤ−ＷＯ（ＣＤ−Write Once )のディスク形態を示したものである。ディスクの中心から外周まで曲がった溝(wobbled groove )（１２）(以下、溝のトラックという）が一定周期で設けられており、又、溝と溝との間には溝と並んで配置された平坦部（以下、山のトラックという）（１０）がある。前述の補助情報は、溝のトラック両側に曲がっている部分（以下、ウォッブルピット(wobbled pit) という）にプレフォーマットされている。
【０００４】
かかる、ウォッブルリング方式の補助情報は、図２のようなプレフォーマット装置により光ディスクにプレフォーマットされる。図２で、補助情報プレフォーマット装置はクロック発生器（１４）から４４．１ＫＨｚのクロック信号が入力される第１及び第２分周器（１６，１８）と、第２分周器（１８）から搬送波信号を入力する周波数変調器（２２）と、入力ライン（１５）からチャンネルビットストリーム（ＰＣＨＢ）が入力される二重位相変調器（Bi-phase Modulator )（２０）を備える。第１分周器（１６）はクロック発生器（１４）からの４４．１ＫＨｚのクロック信号を７分周して６．３ＫＨｚの二重位相クロック（ＰＬＣＫ）を発生する。第２分周器（１８）はクロック発生器（１４）からの４４．１ＫＨｚのクロック信号を２分周して２２．０５ＫＨｚの搬送波信号を発生する。二重位相変調器（２０）は入力ライン（１５）からのチャンネルビットストリーム（ＰＣＨＢ）を二重位相クロック（ＰＣＬＫ）により二重位相変調して二重位相信号（ＤＰＳ）を発生する。この二重位相信号（ＤＰＳ）は、搬送波信号を利用する周波数変調器（２２）により周波数変調された後、出力ライン（１７）を経由して出力される。又、チャンネルビットストリーム（ＰＣＨＢ）は、補助情報がチャンネルコーティングすることにより生成するもので、図３のように同期信号と識別コード部からなる。識別コード部は通常光ディスクの物理的な位置を示すアドレス情報とその他のディスク関連情報を含んでいる。以下では識別コード内は、アドレス情報のみがあると仮定して説明する。又、補助情報は、その以外に識別コードの復元時、エラーを訂正するためのエラー訂正コード（例えば、“ＣＲＣ”（cyclic redundancy check)を含むこともある。
【０００５】
従って、同期信号（ＳＹＮＣ）により区分されたユニット（以下、フレームという）は、記録されるユーザー情報のユニットを規定する。このようなフレームにより記録されるユーザー情報ユニットの物理的な長さを規定する。即ち、ユーザー情報のユニットがフレームに１対１マッチングされ、記録媒体に一定の物理的な長さを占有しながら記録するものである。各フレームのアドレス情報がそのフレームの物理的な位置を示す。
【０００６】
このような、ウォッブルリンク方式の補助情報からユーザー情報を記録する時に利用する例を図４乃至図７を参照して説明する。
【０００７】
図４を参照すると、従来の光ディスク記録装置は、光ディスク（２４）を回転させるために設けられたスピンドルモーター（２６）と、光ピックアップ（２８）に接続されたサーボ部（３０）と、スピンドルモーター（２６）に接続されたモーター駆動部（３２）を備える。光ピックアップ（２８）は図１に示したような光ディスク（２４）の溝のトラック（１２）に一つのメーン光ビーム（ＭＢ）と二つの補助光ビーム（ＳＢ１，ＳＢ２）を照射してメーン光ビーム（ＭＢ）で情報を記録し、補助光ビーム（ＳＢ１，ＳＢ２）でプレフォーマットされた補助（信号）情報を読み取る。このために、光ピックアップ（２８）は光ディスク（２４）により反射される三つの光ビーム（ＭＢ，ＳＢ１，ＳＢ２）を検出する光検出器（ＰＤ）を備える。サーボ部（３０）は光検出器（ＰＤ）の出力信号により光ピックアップ（２８）内のアクチュエータ（ＡＣＴ）を駆動してフォーカシングサーボ、トラッキングサーボ等を行う。一方、モーター駆動部（３２）は制御部（４４）からの信号によりスピンドルモーター（２６）の回転速度を調節する。
【０００８】
この光ディスク記録装置は、光ピックアップ（２８）の光検出器（ＰＤ）に連結した搬送波信号検出器（３４）と補助情報デコーダ（３６）を備える。搬送波信号検出器（３４）は光検出器（ＰＤ）の出力信号から光ディスク（２４）の溝のトラック（１２）にプレフォーマットされた搬送波信号（Ｐｃ）を検出する。このために、搬送波信号検出器（３４）は、図５に示すように第１高周波信号（ＲＦｔ１）を帯域フィルタリングする第１バンドパスフィルタ（４６）と、第２高周波信号（ＲＦｔ２）を帯域フィルタリングする第２バンドパスフィルタ（４８）と、両バンドパスフィルタ（４６，４８）の出力信号を加算する加算増幅器（５０）で構成される。第１高周波信号（ＲＦｔ１）と第２高周波信号（ＲＦｔ２）は、第１補助光ビーム（ＳＢ１）と第２補助光ビーム（ＳＢ２）が光検出器（ＰＤ）により電気的信号に変換されたものである。加算増幅器（５０）は第１及び第２バンドフィルタ（４６，４８）の出力信号を加算・増幅して一定周期の搬送波信号（Ｐｃ）を検出する。
【０００９】
補助情報デコーダ（３６）は、搬送波信号検出器（３４）からの搬送波信号（Ｐｃ）からディスクにプレフォーマットされた補助情報を復元する。このために、補助情報デコーダ（３６）は図６のように周波数復調器（５２）に並列接続された二重位相クロック再生器（５４）、同期検出器（５６）及び二重位相信号復号器（５８）で構成されている。周波数復調器（５２）は図５に示された加算増幅器（５０）からの図７Ａのような復元された搬送波信号（Ｐｃ）を周波数復調して二重位相変調信号を復元する。そして、二重位相クロック再生器（５４）は周波数復調器（５２）からの二重位相変調信号から図７Ａに示したような二重位相クロック（ＰＣＬＫ）を復元し、その復元された二重位相クロック（ＰＣＬＫ）を同期検出器（５６）と二重位相信号復号器（５８）に供給する。また、同期検出器（５６）は二重位相クロック（ＰＣＬＫ）を利用して二重位相変調信号から図７Ａの同期信号（ＰＹｒｅ）を分離し、その同期信号（ＰＹｒｅ）を二重位相信号復号器（５８）に供給する。二重位相信号復号器（５８）は同期信号（ＰＹｒｅ）により二重位相変調信号から識別コード部を検出し、二重位相クロック（ＰＣＬＫ）を利用して、その識別コード部に含まれたアドレス情報（ＰＡｄｄ）を復元する。また、補助情報内にエラー訂正コードが含まれた場合には二重位相信号復号器（５８）は復元されたエラー訂正コードにより復元されたアドレス（ＰＡｄｄ）に発生されたエラーを訂正するとともにエラー訂正状態を表示するエラー信号を発生する。このようにして復元されたアドレス信号（ＰＡｄｄ）はユーザーデータと共に光ディスク（２４）の溝のトラック（１２）上に記録される。
【００１０】
また、従来の光ディスク記録装置は図４に示したように基準同期信号（ＳＹｒｅｆ）と基準クロック（ＳＣＬＫ）を発生する基準信号発生器（３８）と、記録情報処理部（４０）と、光ピックアップ（２８）のレーザーダイオード（ＬＤ）間に接続された光制御器（４２）とを備える。記録情報処理部（４０）は基準信号発生器（３８）からの基準同期信号（ＳＹｒｅｆ）に合わせて補助情報デコーダ（３６）からのアドレス情報（ＰＡｄｄ）を付加してユーザーデータの識別コード部（ＩＤ）を形成すると共に記録データを補助情報により予め設定されたユニットでブロック化する。即ち、前述の識別コード部と共にユーザー情報ユニットは、図７Ｂに示したように一つの特定ユニット（ＵＤＢ）（以下、“ユーザー情報ブロック”という）を構成する。
【００１１】
このようにユーザー情報を記録するためには、基準同期信号（ＳＹｒｅｆ）の周期は補助情報の同期信号（ＰＹｒｅ）の周期と同じくならなければならない。ユーザー情報のユニットである“ユーザー情報ブロック”（ＵＤＢ）は、その物理的な長さが補助情報のユニットである“フレーム”のそれと同一である。
【００１２】
このように構成されたユーザー情報は、基準信号発生器（３８）から発生された基準クロック（ＳＣＬＫ）に合わせて光制御器（４２）を通じてレーザーダイオード（ＬＤ）に供給されることにより光ディスク（２４）の溝のトラック（１２）に記録される。
【００１３】
以上のようにユーザー情報は、光ディスクにプレフォーマットされた補助情報により規定されたユニット（即ち、フレームユニット）で記録されるようになる。即ち、フレームの物理的な長さと同一の長さを有するユーザー情報ブロックが構成される。
【発明の開示】
【発明が解決しようとする課題】
【００１４】
ユーザー情報の特性によってはユーザー情報ユニットの物理的な長さをフレームによって規定された物理的な長さと異なるようにする必要がある。例えば、情報の量が重要な場合ではユニット情報に対応する物理的な長さを比較的短くする必要があり、情報の質が重要な場合ではユニット情報に対応する物理的な長さを比較的に長くする必要がある。このような場合に従来技術のユーザー情報記録方式では全く対応することができない。
【００１５】
従って、本発明の目的はプレフォーマットされた記録媒体に予め設定されたユニット情報の物理的な長さを可変にしてユーザー情報を記録することができる情報記録方法及び装置を提供することにある。
本発明の他の目的は、プレフォーマットされた記録媒体に予め設定されたユニット情報の物理的な長さを可変にしてユーザー情報を記録するとき、ユーザー情報のアドレスを効果的に作る情報記録方法及び装置を提供することにある。
【課題を解決するための手段】
【００１６】
本発明による情報記録方法は、ａ）トラックを所定の区間からなる第１のユニットに区分する同期信号とその第１のユニットを指示する第１アドレス情報とが所定のクロックに基づいて変調された形態で前記第１のユニット毎にプレフォーマットされた記録媒体から前記クロックを検出する段階と、ｂ）検出された前記クロックを所定の値を単位として計数してトラックをある区間からなる第２のユニットに区分し、前記第２のユニットに対応してユーザー情報を前記記録媒体に記録する段階を含む。
【００１７】
本発明による情報記録装置は、トラックを所定の区間からなる第１のユニットに区分する同期信号と、第１のユニットを指示する第１アドレス情報が所定のクロックに基づいて変調された形態で第１のユニット毎にプレフォーマットされた記録媒体からクロックを検出する手段と、検出されたクロックを所定の値を単位として計数してトラックをある区間の第２のユニットに区分し、第２のユニットに対応してユーザー情報を割り当てて記録媒体に記録する手段を備える。
【００１８】
本発明による情報記録装置はトラックを所定の区間からなる第１のユニットに区分し、その第１のユニット毎に同期信号及び第１のユニットを指示する第１アドレス情報を所定のクロックに基づいて変調された補助情報をプレフォーマットした記録媒体に光ビームを照射し、前記トラック上にユーザー情報を記録すると共に前記トラック上に記録されたユーザー情報及び補助情報をピックアップするための光ピックアップと、光ピックアップによりピックアップされた情報から変調された補助情報を検出する信号検出手段と、信号検出手段からの変調された補助情報からクロックを復元する復調手段と、クロックを利用してトラックをある区間の第２のユニットに区分する区間再編手段と、区間再編手段により区分された第２のユニットに対応してユーザー情報をブロック化する記録情報処理手段と、記録情報処理手段からのブロック化されたユーザー情報による光ピックアップ手段を制御する光制御手段を備える。
【００１９】
前述の構成によって、本発明は、記録媒体に予め設定された情報ユニットの物理的な長さとは異なる、即ち、長いか又は短い情報ユニットでユーザー情報を記録することができる。そして、本発明では一つの記録装置に対して可変できる物理的な長さを固定されるか、これとは異なり物理的な長さを複数個にして選択的にユーザー情報を記録することができる。
【発明の効果】
【００２０】
本発明の情報記録方法及び装置は、プレフォーマットされた記録媒体に予め設定された情報ユニットの物理的な長さとは異なる、すなわちち、長いか又は短い情報ユニットでユーザー情報を記録することができる。すなわちち、同じくプレフォーマットされた記録媒体に対して記録されるユーザー情報の特性により予め設定された情報ユニットの物理的な長さとは異なる長さの情報ユニットでユーザー情報を記録することができるという効果がある。また、一つの記録装置に対して可変できる物理的な長さを固定するか、これとは異なり物理的な長さを複数個にして選択的にユーザー情報を記録すことができる。また、ユーザー情報ユニット（ブロック）のアドレスを適切に作ることができる。 また、プレフォーマットされた補助情報（フレーム補助情報）の識別コードにエラーが発生するか、フレーム同期信号が発生しない場合にも、ユーザー情報ユニットとそのアドレスを適切に作ってくれることが分かる。
【００２１】
以上説明した内容を通じて当業者なら、本発明の技術思想を逸脱しない範囲で多様な変更及び修正が可能であることがわかるであろう。従って、本発明の技術的範囲は明細書の詳細な説明に記載した内容に限定されることなく特許請求の範囲により定められるべきである。
【発明を実施するための最良の形態】
【００２２】
以下、本発明を図面に示す実施の形態に基づいて詳細に説明する。
図８は本発明による情報記録方法の実施形態を示したもので、その方法を各段階別に詳細に検討して見る。
記録媒体（ディスク）は、前述のように補助情報がプレフォーマットされていると仮定する。
第６０段階で記録媒体（図１の溝のトラック）から搬送波信号を検出する。検出する方法は前述の通りである。検出された搬送波から補助情報を復元（復調）する（第６２段階）。復調された補助情報には、所定のユニット（フレーム）で同期信号、アドレス情報（ＰＡｄｄ）が含まれており、復調段階からアドレス情報はエラー訂正過程を経るようになる。又、補助情報内には補助情報を変調するとき利用するクロック（即ち、二重位相クロックＰＣＬＫ）が含まれている。
【００２３】
第６４段階からクロックを所定の個数（Ｒ）（計数値）をユニットとして繰り返し計数する。このユニットでユーザー情報のユニットを生成する（第６６段階）。即ち、クロックの数“Ｒ”ずつにユーザー情報ブロックの長さを定めてブロックを区分する同期信号を作る。この計数値（Ｒ）は補助情報のフレーム一つに対応するクロックの個数（Ｍ）より少ないか又は多く設定される。図１２は計数値（Ｒ）が一つのフレーム内クロックの数（Ｍ）より少なく設定された場合を示したものである。次に、ユーザー情報ブロックの識別コード（ＩＤ）部を構成する（第６８段階）。この識別コードには、後述する方法で割当たられたアドレス（ＣＡｄｄ）が含まれている。最終的にユーザー情報を設定されたブロック単位に対応させて識別コード（ＩＤ）と共にディスクに記録する（第７０段階）。
【００２４】
即ち、図１２に示したようにユーザー情報が予め設定されたフレームの長さとは異なる長さのブロック単位で記録される。ブロックの長さが従来とは異なるが、一つのブロック当たり記録されるユーザー情報の量は、前述のように変動がない。即ち、ユニット情報当たり占める物理的な長さが異なったものである。
【００２５】
第６８段階でユーザー情報ブロックの識別コード内のアドレス情報（ＣＡｄｄ）は、フレームアドレス情報（ＰＡｄｄ）を利用しないで独自的に作るか又はフレームアドレス情報（ＰＡｄｄ）を利用して作ることができる。
前者の場合は、記録スタートの時、最初アドレスからスタートしてブロック単位毎に順次的に増加させる方法を例としてあげることができる。しかし、この方法はディスクの中間地点から記録する場合にアドレス情報がディスク全体領域に対して連続性を持たないし、一つのアドレスが複数地点に対応してディスクの絶対位置を示すことのできないという問題が発生する。
【００２６】
従って、後者の方法を利用するとかかる問題を排除することができ、これを図１２を参照して具体的に説明する。
図１２で、ユーザー情報をブロックｊから記録する場合、ブロックｊのアドレス（ＣＡｄｄｊ）はトラックの最初地点からブロックｊがスタートする地点までの総クロック（ＰＣＬＫ）数を一つのブロック当たりクロックの数、即ち、“Ｒ”で割ることにより、算出することができる。総クロックの数（Ｃｔｏｔａｌ）は、現在対応するフレームのアドレス値（ＰＡｄｄｊ）とフレーム当たりクロック数（Ｍ）を掛けて、ここに現在フレームがスタートする地点から現在までのクロックの数（Ｃｉ）を足す（即ち、Ｃｔｏｔａｌ＝ＰＡｄｄｉ  ＊  Ｍ  ＋  Ｃｉ）。従って、ブロックｊのアドレス（ＣＡｄｄｊ）を算出する方法を式に表現すると、次のとおりである。
ＣＡｄｄｊ＝（ＰＡｄｄｉ  ＊  Ｍ  ＋Ｃｉ）／Ｒ……（式１）
【００２７】
このように算出したブロックアドレス（ＣＡｄｄｊ）を前記のように直ちにブロックのアドレスに利用しないで、異なる規則により更に変換してブロックのアドレスにすることもできる。
従って、以上のユーザー情報を記録する方法により、ユニット記録情報当たり予め設定された物理的な長さ、即ち、フレームに対応するトラックの長さより大きいか又は小さくしてユーザー情報を記録することができる。
【００２８】
図９は、本発明の実施形態による光ディスク記録装置を図示する。図４のものと同一の動作をするものには同一の符号を付けてある。図９において、光ディスク記録装置は光ディスク（２４）を回転させるスピンドルモーター（２６）と、光ピックアップ（２８）に接続されたサーボ部（３０）と、スピンドルモーター（２６）に接続されたモーター駆動部（３２）を備える。光ピックアップ（２８）は、図１に示したような光ディスク（２４）の溝のトラック（１２）に一つのメーン光ビーム（ＭＢ）と、二つの補助ビーム（ＳＢ１，ＳＢ２）を照射し、メーン光ビーム（ＭＢ）によって情報を記録し、補助光ビーム（ＳＢ１，ＳＢ２）によってプレフォーマットされた補助信号を読み取る。このために、光ピックアップ（２８）は、レーザーダイオード（ＬＤ）及び光検出器（ＰＤ）間にあってレーザー光ビームを分割させるビームスプリッター（ＢＳ）と、光ディスク（２４）及びビームスプリッター（ＢＳ）間に設置された対物レンズ（ＯＬ）を備える。対物レンズ（ＯＬ）はビームスプリッター（ＢＳ）から光ディスク（２４）側に進行するレーザー光ビームを集光する。ビームスプリッター（ＢＳ）は、レーザーダイオード（ＬＤ）からのレーザー光ビームを対物レンズ（ＯＬ）を経由して光ディスク（２８）の表面に照射できるようにすると共に、光ディスク（２８）により反射された反射光ビームをセンサーレンズ（ＳＬ）を経由して光検出器（ＰＤ）側に進むようにする。センサーレンズ（ＳＬ）はビームスプリッター（ＢＳ）から光検出器（ＰＤ）側に進む光ビームを集束して非点数差法により焦点を調節する。レーザーダイオード（ＬＤ）から発生した光ビームは、回折格子（ＧＴ）により三つの光ビーム（ＭＢ，ＳＢ１，ＳＢ２）に分離される。回折格子（ＧＴ）により分離された光ビーム（ＭＢ，ＳＢ１，ＳＢ２）は、ビームスプリッター（ＢＳ）を経由して対物レンズ（ＯＬ）によって図１に示すように光ディスク（２４）の溝のトラック（１２）の上に置かれるように集光される。光ディスク（２４）の溝のトラック（１２）により反射された光ビーム（ＭＢ，ＳＢ１，ＳＢ２）は、対物レンズ（ＯＬ）及びビームスプリッター（ＢＳ）を経由してセンサーレンズ（ＳＬ）によって光検出器（ＰＤ）の表面に集光する。光検出器（ＰＤ）は補助光ビーム（ＳＢ１，ＳＢ２）を電気的信号に変換して第１及び第２高周波信号（ＲＦｔ１，ＲＦｔ２）を発生する。サーボ部（３０）は光検出器（ＰＤ）からの第１及び第２高周波信号（ＲＦｔ１，ＲＦｔ２）により光ピックアップ（２８）内のアクチュエータ（ＡＣＴ）を駆動してフォーカシングサーボ、トラッキングサーボ等を行う。
【００２９】
モーター駆動部（３２）はサーボ部（３０）からの信号によりスピンドルモーター（26)の回転速度を調節する。
光ディスク記録装置は、光ピックアップ（２８）の光検出器（ＰＤ）に直列接続された搬送波信号検出器（３４）及び適応型補助情報デコーダ（８０）を備える。搬送波信号検出器（３４）は光検出器（ＰＤ）からの第１及び第２高周波信号（ＲＦｔ１，ＲＦｔ２）を処理して光ディスク（２４）の溝のトラック（１２）にプレフォーマットされた補助信号（Ｐｃ）を検出する。
【００３０】
搬送波信号検出器（３４）は図５に示したように構成することができる。適応型補助信号デコーダ（８０）は搬送波信号検出器（３４）からの搬送波信号（Ｐｃ）からディスクにプレフォーマットされた（予め記録された）補助情報を復元する。適応型補助信号デコーダ（８０）は復元された補助情報により予め設定された物理的なユニット（長さ）、即ち、フレームの長さとは異なるディスクのトラックを割り当て、それにより新しく変換されたアドレス情報（ＣＡｄｄ）をつくる。このために、適応型補助信号デコーダ（８０）は図１０又は図１１のように構成することができ、これに対する説明は後述するようにする。
【００３１】
本発明の光ディスク記録装置は、基準同期信号（ＳＹｒｅｆ）及び基準クロック（ＳＣＬＫ）を発生する基準信号発生器（３８）と、記録情報処理部（４０）と、この記録情報処理部と光ピックアップ（２８）のレーザーダイオード（ＬＤ）との間に接続された光制御部（４２）とを備える。記録情報処理部（４０）は基準信号発生器（３８）からの基準同期信号（ＳＹｒｅｆ）に適応型補助信号デコーダ（８０）からの変換アドレス信号（ＣＡｄｄ）を付加してユーザー情報の識別コード部（ＩＤ）を形成すると共に、ユーザー情報を新しく規定された物理的な長さを有するユーザー情報ブロック（ＵＤＢ）でブロック化する。
【００３２】
このように構成されたユーザー情報は、基準信号発生器（３８）から発生された基準クロック（ＳＣＬＫ）に合わせて光制御器に供給される。光制御器（４２）は、記録情報処理部（４０）からの出力信号値によりレーザーダイオード（ＬＤ）を断続してユーザー情報を記録する。ユーザー情報ブロックの長さが前述したように変動する場合にも、一つのブロック当たり記録する情報の量を一定に維持させなければならないので、基準クロックは、ブロック長さの変動に対応してクロックの周期も変動させる。
【００３３】
最後に、光ディスク記録装置は、サーボ部（３０）、モーター駆動部（３２）及び光制御器（４２）に共に接続された制御部（４４）を追加的に備えている。この制御部（４４）は、サーボ部（３０）とモーター駆動部（３２）の動作を制御すると共に、光制御器（４２）の動作モードを制御する。さらに、この制御部（４４）は、適応型補助信号デコーダ（８０）からの変換アドレス信号（ＣＡｄｄ）により区分される光ディスク（２４）の溝のトラック（１２）上のユニットの区間の大きさ（即ち、前述したブロック単位に対応する二重位相クロック（ＰＣＬＫ）の数“Ｒ”）を指定することができる。図９での点線がこの意味を示したものである。このようにクロックの数“Ｒ”を可変する例をあげたが、特定の数で固定することも可能である。
【００３４】
図１０は図９に示した適応型補助信号デコーダ（８０）の第１実施形態を詳細に図示する。図１０において、適応型補助信号デコーダ（８０）は図９の搬送波信号検出器（３４）で検出された搬送波信号（Ｐｃ）が入力される周波数復調器（８２）と、その周波数復調器（８２）に並列接続された二重位相クロック再生器（８４）及び同期検出器（８６）と、二重位相信号復号器（８８）とをそなえる。周波数復調器（８２）は、搬送波信号（Ｐｃ）を周波数復調して二重位相信号（ＤＰＳ）を復元する。二重位相クロック再生器（８４）は位相同期ループを利用して周波数復調器（８２）で発生した二重位相信号（ＤＰＳ）から二重位相クロック（ＰＣＬＫ）を再生する。同期検出器（８６）は二重位相クロック発生器（８４）からの二重位相クロック（ＰＣＬＫ）を利用して二重位相信号（ＤＰＳ）から同期信号（ＰＹｒｅ）を検出する。同期信号（ＰＹｒｅ）は二重位相信号復号器（８８）に供給されると共にＡＮＤゲート（９４）に供給される。二重位相信号復号器（８８）は同期信号（ＰＹｒｅ）により二重位相変調信号から識別コードとエラー訂正コードを検出して識別コードを復元し、これに対するエラー訂正を行う。これによって復元された識別コード内に存在するフレームアドレス（ＰＡｄｄ）を得るようになり、または識別コード内のエラーの情報も得ることになる。識別コードのエラーは、論理“０”（エラー発生）又は“１”（エラー未発生）の信号として出力される。
【００３５】
適応型補助信号デコーダ（８０）は、トラックの最初の位置から現在までの総二重位相クロック（ＰＣＬＫ）数を計数するために、乗算器（１００）とカウンター（９０）をさらに備えている。乗算器（１００）は、現在位置に対応するフレームアドレス（ＰＡｄｄ）値を二重位相信号復号器（８８）から入力され、この値に１フレーム当たり二重位相クロックの数Ｍを掛けてカウンター（９０）に出力する。即ち、この値（ＰＡｄｄ＊Ｍ）がトラックの最初位置から最近のフレームがスタートされた位置までの二重位相クロックの数となる。  カウンター（９０）は、特定制御信号により乗算器（１００）の出力値（ＰＡｄｄ＊Ｍ）をロードすると共に、そのロード値からスタートして二重位相クロック（ＰＣＬＫ）数を計数してその計数値を出力する。特定制御信号は、図１０に示したようにＡＮＤゲート（９４）からの出力される信号であり、この信号は識別コードにエラーがなく補助情報（即ち、フレーム）の同期信号が検出されるときのみに論理１の信号となる。即ち、正常的に同期信号が検出されるとき、前述の乗算器（１００）の出力値のロードとカウンターの計数とをスタートするようにするものである。すなわち、乗算器（１００）からのロード時点、すなわち、現在フレームの同期が検出された時点から現在までの二重位相クロック（ＰＣＬＫ）数を“Ｃｉ”とすると、カウンター（９０）の出力値は、トラックの最初の位置から現在までの総二重位相クロックの数（Ｃｔｏｔａｌ）である“ＰＡｄｄ  ＊  Ｍ  ＋  Ｃｉ  ”となる。
【００３６】
一方、現在の識別コードにエラーが発生する場合に二重位相信号復号器（８８）は論理“０”の出力をＡＮＤゲート（９４）に入力してカウンター（９０）の計数動作を継続維持するようにする。即ち、カウンター（９０）の計数値が次の式のように求める。
Ｃｔｏｔａｌ＝ＰＡｄｄｉ−１   ＊  Ｍ＋Cｉ−１  ……………（式２）
ここで、ＰＡｄｄｉ−１  は、以前のフレームアドレス、Ｃｉ−１  は、以前のフレームが検出された時点から現在までの二重位相クロック数である。
即ち、識別コードにエラーが発生した場合にも、トラック最初位置から現在までの総クロック数（Ｃｔｏｔａｌ）を得ることができる。
【００３７】
又、現在フレームの同期信号（ＰＹｒｅ）が検出されない場合に同期検出器（８６）の出力は論理“０”となり，ＡＮＤゲート（９４）の出力は“０”となってカウンター（９０）の動作が継続維持されて前記と同じく総二重位相クロック（ＰＣＬＫ）数を得ることができる。
【００３８】
また、適応型補助信号デコーダ（８０）は、カウンター（９０）の出力値を入力する除算器（９６）と、除算器（９６）に接続されたラッチ（９８）を含む。除算器（９６）は、カウンター（９０）からの出力値（ＰＡｄｄ  ＊  Ｍ  ＋  Ｃｉ）  の入力を受けて、所定値“Ｒ”で割る演算を行い、その値（ＣＡｄｄ）をラッチ（９８）に出力する。又、残りが０になる毎に所定の基準信号（ＢＹｒｅ）を発生させてラッチ（９８）に出力する。ラッチ（９８）は除算器（９６）からの出力を受けて基準信号（ＢＹｒｅ）が発生される毎に値（ＣＡｄｄ）を図９に示された記録情報処理部（４０）に出力する。すなわち、基準信号（ＢＹｒｅ）により区分された区間が新しく規定するユーザー情報の記録ユニット（ブロック）となり、値（ＣＡｄｄ）が各ブロックに対応する変換アドレス（ＣＡｄｄ）となる。すなわち、前述の式１のように変換アドレスが求められる。この変換アドレス（ＣＡｄｄ）は記録情報処理部（４０）に送られユーザー情報ブロックのアドレスとなる。上記のように、乗算器（１００）、カウンター（９０）及び除算器（９６）はディスクのトラックを補助信号により区分されたフレームの区間とは異なり、それより大きいか又は小さい長さを有するユーザー情報の記録ユニットで再編する区間再編機能を行う。
【００３９】
一方、図９の記録装置での基準信号発生器（３８）は新しく規定されたブロック単位に対応する基準クロック（ＳＣＬＫ）と基準同期信号（ＳＹｒｅｆ）を発生する。即ち、基準同期信号（ＳＹｒｅｆ）は図１０の除算器（１０２）から出力した基準信号（ＢＹｒｅ）の発生周期と同じ周期で発生し、基準クロック（ＳＣＬＫ）は補助情報の１フレームに対応する情報量が新しく規定されたブロック内に収容できるようにその周期が定められている。基準信号発生器（３８）は、前述のように記録装置がブロック長さを予め固定している場合、即ち“Ｒ”値が固定された場合にはそのブロック長さに合った固定された基準クロックと基準同期信号を出力するが、記録装置がブロック長さを可変できる場合、すなわち“Ｒ”値に可変される場合には、それに対応して、基準クロックと基準同期信号を変えて出力する。
基準同期信号（ＳＹｒｅｆ）は適応型補助信号デコーダ（８０）から発生する基準信号（ＢＹｒｅ）を記録情報処理部（４０）にそのまま入力して利用することもてきる。
【００４０】
図１１は図９に示した適応型補助信号デコーダ（８０）の第２実施形態を詳細に図示する。第２実施形態は第１実施形態（図１０）での乗算器（１００）とカウンター（９０）以外は、その構成及び動作が同一である。この実施形態は補助情報の１フレーム当たり二重位相クロック（ＰＣＬＫ）数“Ｍ”が２Ｎとして表現できる場合に適用することができるものである。そのような場合、乗算器（１００）を無くし、カウンター（９０）の下位ビット“Ｎ”個を“０”に設定する。この場合二重位相信号復号器（８８）からのフレームアドレス（ＰＡｄｄ）をカウンター（９０）の残り上位ビットにロードすると、第１実施形態のように“ＰＡｄｄ  ＊  Ｍ”値をロードしたと同じになる。即ち、第２実施形態では乗算器が必要ないので第１実施形態より動作が速いという点に利点がある。
【００４１】
図１２は以上のようにプレフォーマットされたディスクに予め設定された情報ユニット（即ち、補助情報のフレーム）により設定された物理的な長さより短くして（即ち、“Ｒ”を“Ｍ”より小さくして）ユーザー情報を記録した場合を示したものである。
【図面の簡単な説明】
【００４２】
【図１】ウォッブルリング方式に補助情報がプレフォーマットされた光ディスクを概略的に示した図である。
【図２】ウォッブルリング方式に補助情報を記録媒体にプレフォーマットするための補助情報プレフォーマット装置のブロック図である。
【図３】図２に示された各部に対する動作波形図である。
【図４】従来の光ディスク記録装置のブロック図である。
【図５】図４に示された搬送波信号検出器の詳細ブロック図である。
【図６】図４に示された補助信号デコーダの詳細ブロック図である。
【図７】図６に示された補助信号デコーダの各部に対する動作波形図（ａ）と、図４に示された基準信号発生器及び記録情報処理部の動作波形図（ｂ）である。
【図８】本発明の実施形態による情報記録方法を説明するフローチャートである。
【図９】本発明の実施形態による光ディスク記録装置のブロック図である。
【図１０】図８に示された適応型補助信号デコーダの第１実施形態を詳細に図示する詳細ブロック図である。
【図１１】図８に示された適応型補助信号デコーダの第２実施形態を詳細に図示する詳細ブロック図である。
【図１２】図９に示された光ディスク記録装置により光ディスクのトラックに記録されたユーザーデータの状態を説明する図面である。
【符号の説明】
【００４３】
１０…山のトラック、１２…溝のトラック、１４…クロック発生器、１６，１８…第１，２分周器、２０…二重位相変調器、２２…周波数変調器、２４…光ディスク、２６…スピンドルモーター、２８…光ピックアップ、３０…サーボ部、３２…モーター駆動部、３４…搬送波信号検出器、３６…補助情報デコーダ、３８…基準信号検出器、４０…記録情報処理部、４２…光制御器、４４…制御部、４６，４８…バンドパスフィルタ、５０…加算増幅器、５２，８２…周波数復調器、５４，８４…二重位相クロック再生器、５６，８６…同期検出器、５８，８８…二重位相信号復号器、８０…適応型補助信号デコーダ、９０…カウンター、９４…ＡＮＤゲート、９６…除算器、９８…ラッチ、１００…乗算器。
【図１】
2006221799.tif 000003
【図２】
2006221799.tif 000004
【図３】
2006221799.tif 000005
【図４】
2006221799.tif 000006
【図５】
2006221799.tif 000007
【図６】
2006221799.tif 000008
【図７】
2006221799.tif 000009
【図８】
2006221799.tif 000010
【図９】
2006221799.tif 000011
【図１０】
2006221799.tif 000012
【図１１】
2006221799.tif 000013
【図１２】
2006221799.tif 000014